(57)【要約】      （修正有）【課題】目の不自由な人であっても、厨子扉の開閉状態を容易に把握することが可能な厨子型仏壇を提供する。【解決手段】厨子型仏壇１０は、本尊Ｘが安置される厨子１４、厨子１４の前面にて本尊Ｘが隠れるように設けられ、透明状態と不透明状態とを切り替え可能な調光部材３０と、調光部材３０の通電状態を切り替える電源ユニットとを有する本尊目隠しユニット、調光部材３０の透明状態と不透明状態とを切り替える際に、調光部材３０が透明状態になるのか不透明状態になるのかを音声で案内する音声案内ユニット１８、およびこれらを収容する仏壇本体１２を備える。【選択図】図１
0003230729.tif 000002
【実用新案登録請求の範囲】
【請求項１】
本尊が安置される厨子、
前記厨子の前面にて本尊が隠れるように設けられ、透明状態と不透明状態とを切り替え可能な調光部材と、前記調光部材の通電状態を切り替える電源ユニットとを有する本尊目隠しユニット、
前記調光部材の透明状態と不透明状態とを切り替える際に、前記調光部材が透明状態になるのか不透明状態になるのかを音声で案内する音声案内ユニット、および
これらを収容する仏壇本体を備えることを特徴とする厨子型仏壇。
【請求項２】
前記調光部材が透明状態になるときには本尊を明るく照らし、前記調光部材が不透明状態になるときには消灯する光源をさらに備えることを特徴とする請求項１に記載の厨子型仏壇。
【考案の詳細な説明】
【技術分野】
【０００１】
本考案は、透明状態と不透明状態との切り替えが可能な調光ガラスを厨子扉の代わりとして使用した厨子型仏壇の改良に関する。
【背景技術】
【０００２】
仏壇には様々な様式のものがあり、そのひとつに、仏像や経典などの本尊を安置するための厨子が仏壇本体の内部に納められた厨子型仏壇が知られている。厨子型仏壇では、厨子の前面に厨子扉が設けられており、通常は外から本尊が見えないように厨子扉が閉じられており、勤行等必要な時だけ厨子扉を開いて本尊が見える状態にする。
【０００３】
ところで、仏壇には、仏飯器、茶湯器、花瓶或いは燭台などといった仏具が飾られるのが一般的であり、上記した厨子扉の開閉作業は、これら仏具に手が触れて倒してしまうようなことがないよう注意を払いつつ行われる。場合によっては、仏具を他の場所に一時的に移動させ、厨子扉を開いた後（或いは閉じた後）に元の位置に戻すといったことを行う必要もあり、大変煩わしい。
【０００４】
このような煩わしさを解消するための技術として、透明状態と不透明状態とを切り替えることができる調光ガラスを厨子扉の代わりとして使用した厨子型仏壇が提案され、広く利用されている（特許文献１参照）。
【０００５】
この従来技術において、勤行時には、調光ガラスの通電をオンにすることで調光ガラスが透明になり、厨子内に安置されている本尊が外から見える状態になる（厨子扉が開いたのと同じ状態になる）。勤行が終われば、調光ガラスの通電をオフにすることで調光ガラスが不透明になり、厨子内の本尊が外から見えなくなる（厨子扉を閉じたのと同じ状態になる）。
【０００６】
このように、透明状態と不透明状態との切り替えが可能な調光ガラスを厨子扉の代わりとして使用することにより、本尊が見える状態（厨子扉が開いた状態）と見えない状態（厨子扉が閉じた状態）とをスイッチ操作ひとつで切り替えることができるので、厨子扉を開閉するときのような煩わしさを解消できる。
【先行技術文献】
【特許文献】
【０００７】
【特許文献１】特開平７−１３６０５７号公報（図１）
【考案の概要】
【考案が解決しようとする課題】
【０００８】
従来の調光ガラスを厨子扉の代わりとして使用した厨子型仏壇では、本尊が見える状態と見えない状態とをスイッチ操作一つで切り替えることができるため大変便利である。しかしながら、目の不自由な人にとっては、本尊が現在見える状態であるのか、それとも見えない状態であるかの判別ができず、日々の勤行に支障を来すという問題があった。
【０００９】
本考案の目的は、かかる従来の問題点を解消すべくなされたもので、目の不自由な人でも厨子内の本尊が見える状態であるのか見えない状態であるのかを簡単に把握することが可能な厨子型仏壇を提供することにある。
【課題を解決するための手段】
【００１０】
請求項１に記載した考案は、「本尊Ｘが安置される厨子１４、厨子１４の前面にて本尊Ｘが隠れるように設けられ、透明状態と不透明状態とを切り替え可能な調光部材３０と、調光部材３０の通電状態を切り替える電源ユニット３６とを有する本尊目隠しユニット１６、調光部材３０の透明状態と不透明状態とを切り替える際に、調光部材３０が透明状態になるのか不透明状態になるのかを音声で案内する音声案内ユニット１８、およびこれらを収容する仏壇本体１２を備える」ことを特徴とする厨子型仏壇１０である。
【００１１】
請求項２に記載した考案は、「調光部材３０が透明状態になるときには本尊Ｘを明るく照らし、調光部材３０が不透明状態になるときには消灯する光源２０をさらに備える」ことを特徴とする。
【考案の効果】
【００１２】
これらの考案によれば、調光部材が透明状態或いは不透明状態になる時にその状態を案内する音声が再生されるので、本尊が現在見える状態にあるのか見えない状態にあるのかを目だけでなく耳でも把握することが可能となる。したがって、目の不自由な人でも本尊の状態を容易に把握することができ、日々の勤行に支障を来すことがない。
【図面の簡単な説明】
【００１３】
【図１】調光部材が透明状態であり、本尊が外から見える状態を示す図である。
【図２】調光部材が不透明状態であり、本尊が外から見えない状態を示す図である。
【図３】厨子扉の取付状態を示す要部断面図である。
【図４】この考案に係る厨子型仏壇のブロック図である。
【考案を実施するための形態】
【００１４】
以下、本考案を図示実施例に従って詳述する。本考案に係る厨子型仏壇１０は、図１および図４に示すように、仏壇本体１２、厨子１４、本尊目隠しユニット１６、音声案内ユニット１８および光源２０を有する。
【００１５】
仏壇本体１２は、前面が開口した縦長の箱状のもので、その開口部には、両開き式の大戸２２が開閉可能に取り付けられている。
【００１６】
仏壇本体１２の形状としては種々のものを適用でき、本実施例では、仏壇本体１２が２枚の仕切板２４ａ，２４ｂによって上下３段に仕切られている。なお、上段の空間が、後述する厨子１４を据え付けるための空間として使用され、中段や下段の空間は、仏具や経典等を配置・収納するための空間として使用される（本実施例では、中段部分に仏飯器、茶湯器および花瓶が配置され、下段部分に燭台やお輪が配置されている）。
【００１７】
仏壇本体１２において、厨子１４が据え付けられる上段部分の天井部１２ａには、後述する本尊目隠しユニット１６の制御ユニット３４、音声案内ユニット１８および光源２０が収容されており、天井部１２ａの前面の左右両側には、後述する音声案内ユニット１８のスピーカー４６から流れる音声を通過させる通音孔２６が形成されている。また、上側の仕切板２４ａには、後述する本尊目隠しユニット１６の電源ユニット３６を構成する受信機３６ｂが取り付けられている。
【００１８】
仏壇本体１２の上段部分には、上述したように厨子１４が据え付けられている。厨子１４は、仏像や経典などの本尊を安置する部分で、一段高くなった須弥壇１４ａに本尊Ｘが安置される。
【００１９】
本尊目隠しユニット１６は、本尊Ｘが見える状態と見えない状態とを必要に応じて切り替えるために、厨子扉の代わりとして設けられるもので、調光部材３０、コンデンサー３２、制御ユニット３４および電源ユニット３６を有する。
【００２０】
調光部材３０は、２枚の板ガラス３０ａの間に液晶シート３０ｂが介装された縦長の板状部材であり（図３円内参照）、正面から見たときに本尊Ｘの全体が調光部材３０で隠れるように厨子１４の前面側に設けられている。本実施例における液晶シート３０ｂは、通電すると透明状態となり、通電していない状態では不透明状態となるものが使用されている。
【００２１】
調光部材３０の液晶シート３０ｂからは、図示しない給電線が導出されており、コンデンサー３２を介して制御ユニット３４と電気的に接続されている（図４参照）。
【００２２】
なお、調光部材３０は電気的に透明状態と不透明状態とを切り替えることができるようなものであればどのようなものであってもよく、例えば板ガラスに液晶フィルムを貼り付けたものであってもよい。
【００２３】
調光部材３０の上下両側には、フレーム３８がそれぞれ取り付けられている。各フレーム３８には、ピン３８ａが上下に突出して設けられており、各ピン３８ａが仏壇本体１２の軸受１２ｂに嵌まり込んでいる。これにより、調光部材３０がピン３８ａを軸として開閉できるようになっている（図３参照）。
【００２４】
制御ユニット３４は、後述する電源ユニット３６からの信号を受けて調光部材３０に対する電力の供給を制御する部分で、上述したように、仏壇本体１２の天井部１２ａに収容されている。
【００２５】
電源ユニット３６は、発信機３６ａと受信機３６ｂとを有する。発信機３６ａとしては、周知の赤外線型リモコンが採用されており、発信機３６ａのスイッチ操作により送信された電源信号（赤外線）を受信機３６ｂが受信すると、この受信した電源信号を制御ユニット３４に伝えることで制御ユニット３４による電力供給のオン・オフの切り替えができるようになっている（電源ユニット３６は、スイッチ式のものであってもよい）。なお、制御ユニット３４には、後述するように音声案内ユニット１８と光源２０とが接続されており、これらの作動も同時に制御できるようになっている。
【００２６】
音声案内ユニット１８は、制御部４０、Ｄ／Ａコンバータ４２、アンプ４４およびスピーカー４６を備えており、これらがこの順で直列接続されている（図４参照）。
【００２７】
制御部４０は、本尊目隠しユニット１６のオン・オフ時に所定の音声を出力する部分で、制御ユニット３４と電気的に接続されている。
【００２８】
制御部４０には、記憶部４０ａが設けられており、この記憶部４０ａに任意の音声ファイルが記憶されている。
【００２９】
音声案内ユニット１８は、本実施例では、仏壇本体１２の天井部１２ａに収容されており、通音孔２６の背部にスピーカー４６が配置されている。
【００３０】
光源２０は、厨子１４に安置されている本尊Ｘを明るく照らすためのもので、仏壇本体１２の天井部１２ａに収容されており、制御ユニット３４と電気的に接続されている。なお、本実施例では光源２０として白色（単色）のＬＥＤが採用されているが、例えば赤や青といった複数色のＬＥＤを用いて本尊Ｘを虹色に照らすようにしてもよい。
【００３１】
以上のように構成されている厨子型仏壇１０を使用する際は、電源ユニット３６の発信機３６ａの電源ボタンをオンにする。発信機３６ａから発信された電源オン信号（赤外線）を受信機３６ｂが受信すると、制御ユニット３４が通電状態となり、本尊目隠しユニット１６、音声案内ユニット１８および光源２０に対して同時に給電が行われる。
【００３２】
本尊目隠しユニット１６に対して給電が行われると、調光部材３０の液晶シート３０ｂが不透明状態から透明状態へと瞬時に切り替わり、調光部材３０の奥の本尊Ｘが外から見えるようになる（厨子扉を開いたのと同じ状態）。本尊Ｘは、光源２０によって明るく照らされる（図１参照）。
【００３３】
一方、音声案内ユニット１８では、調光部材３０の変化（不透明状態から透明状態への変化）と同時に制御部４０に記憶されている音声ファイルがＤ／Ａコンバータ４２によってアナログ変換され、アナログ変換された音声データがアンプ４４で増幅され、スピーカー４６から本尊Ｘが見える状態になったことを知らせる音声（ここでは「ご本尊が現れました」という音声）が流れる。
【００３４】
目の不自由な信者は、スピーカー４６から流れる音声を耳にすることで、本尊Ｘが現在見える状態であることを認識でき、安心して日々の勤行を行うことができる。
【００３５】
勤行が済むと、発信機３６ａの電源ボタンをオフにする。すると、上述同様、電源をオフにする信号が受信機３６ｂを介して制御ユニット３４に伝達され、本尊目隠しユニット１６、音声案内ユニットおよび光源２０に対する給電が停止する。
【００３６】
本尊目隠しユニット１６に対する給電が停止すると、調光部材３０の液晶シート３０ｂは、透明状態から不透明状態となり、外から本尊Ｘが見えない状態（厨子扉を閉じたのと同じ状態）となる（図２参照）。また、光源２０は消灯する。
【００３７】
一方、音声案内ユニット１８では、調光部材３０が透明状態から不透明状態になると同時に制御部４０に記憶されている音声ファイルが上述同様、Ｄ／Ａコンバータ４２によってアナログ変換され、アナログ変換された音楽データがアンプ４４で増幅され、スピーカー４６から本尊Ｘが見えない状態になったことを知らせる音声（ここでは「ご本尊がお隠れになりました」という音声）が流れる。
【００３８】
目の不自由な信者は、スピーカー４６から流れる音声を耳にすることで、本尊Ｘが現在見えない状態であることを認識する。
【００３９】
このように、本実施例の厨子型仏壇１０によれば、本尊目隠しユニット１６の作動時に、本尊Ｘが現在見える状態であるのか、見えない状態であるのかを知らせる音声がスピーカー４６から流れるので、目の不自由な人でも音声を頼りに本尊Ｘの状態を確実に把握することができる。
【００４０】
なお、上述実施例では、スピーカー４６から再生される音声が制御部４０にあらかじめ登録されているが、信者が任意の音声を登録できるようにしてもよい。また、音声の内容についても、本尊Ｘが見えているか見えていないのかが分かるような内容であればよく、人の声だけでなく、音楽や機械音等であってもよい。
【符号の説明】
【００４１】
１０：厨子型仏壇、１２：仏壇本体、１２ａ：天井部、１２ｂ：軸受、１４：厨子、１４ａ：須弥壇、１６：本尊目隠しユニット、１８：音声案内ユニット、２０：光源、２２：大戸、２４ａ・２４ｂ：仕切板、２６：通音孔、３０：調光部材、３０ａ：板ガラス、３０ｂ：液晶シート、３２：コンデンサー、３４：制御ユニット、３６：電源ユニット、３６ａ：発信機、３６ｂ：受信機、３８：フレーム、３８ａ：ピン、４０：制御部、４０ａ：記憶部、４２：Ｄ／Ａコンバータ、４４：アンプ、４６：スピーカー、Ｘ：本尊
【図１】
0003230729.tif 000003
【図２】
0003230729.tif 000004
【図３】
0003230729.tif 000005
【図４】
0003230729.tif 000006